(57)【要約】【課題】熱交換器のメンテナンス性と送風性能に優れたヒートポンプ式熱源装置を提供する。【解決手段】底板１と、前記底板１上に配設した熱交換器３と、蒸発器２と、前記熱交換器３を覆う断熱体４と、前記蒸発器２に送風する送風手段６とを備え、前記送風手段６の略下部が前記底板１に固定され、前記断熱体４の略上方に送風回路を形成するもので、前記送風手段６を取り外さずとも前記熱交換器３を前記断熱体４とともに取り外すことが可能となり、熱交換器３に不具合が発生してその交換を行う場合に、従来備えていた保護カバーを設ける構成に対して作業時間を大幅に短くすることができるとともに、前記蒸発器２へと空気を導く送風回路の抵抗を小さくして、送風性能を向上させることができる。【選択図】図１
2012026644.tif 000002
【特許請求の範囲】
【請求項１】
底板と、前記底板上に配設した熱交換器と、蒸発器と、前記熱交換器を覆う断熱体と、前記蒸発器に送風する送風手段とを備え、前記送風手段の略下部が前記底板に固定され、前記断熱体の略上方に送風回路を形成することを特徴とするヒートポンプ式熱源装置。
【請求項２】
熱交換器は、その熱交換器を構成する配管が略積層状に重なるように配設されることを特徴とする請求項１に記載のヒートポンプ式熱源装置。
【請求項３】
底板と断熱体のいずれか一方に係合部を、他方に、前記係合部が係合する被係合部をそれぞれ配設したことを特徴とする請求項１または２のいずれかに記載のヒートポンプ式熱源装置。
【請求項４】
断熱体と送風手段のいずれか一方に係合部を、他方に、前記係合部が係合する被係合部をそれぞれ配設したことを特徴とする請求項１〜３のいずれか１項に記載のヒートポンプ式熱源装置。
【請求項５】
送風手段は、その略下部が底板と蒸発器とに挟まれて固定されることを特徴とする請求項１〜４のいずれか１項に記載のヒートポンプ式熱源装置。
【発明の詳細な説明】
【技術分野】
【０００１】
本発明は、ヒートポンプ式熱源装置に関するものであり、より詳しくは、水熱交換器を具備したヒートポンプ式熱源装置の構造に関するものである。
【背景技術】
【０００２】
従来の、この種のヒートポンプ式熱源装置は、底板上に、圧縮機、蒸発器、熱交換器を載置して構成され、前記熱交換器は、断熱体で外装されているとともに、前記断熱体の上からその周囲を覆うように構成された保護カバーを具備しており、さらに前記保護カバーの上面に、蒸発器に通風させるための送風手段を載置固定する構成となっている（例えば、特許文献１参照）。
【０００３】
図５は、上記特許文献１に記載された従来のヒートポンプ式熱源装置の構成を示す図である。図５に示すように、従来のヒートポンプ式熱源装置は、底板１と、蒸発器２と、熱交換器３と、断熱体４と、保護カバー５、送風手段６から構成されている。
【先行技術文献】
【特許文献】
【０００４】
【特許文献１】特開２００５−１４７６１９号公報
【発明の概要】
【発明が解決しようとする課題】
【０００５】
しかしながら、前記従来のヒートポンプ式熱源装置の構成では、断熱体４にさらに保護カバー５を配置するため、熱交換器３に不具合が発生して、メンテナンス作業として熱交換器３の交換を行う場合、送風手段６および保護カバー５を順次取り外した後に、熱交換器３を取り外して交換する必要があり、作業時間が長くなってしまうという課題を有していた。また、蒸発器２へと空気を導く送風回路の通風抵抗が大きくなり、送風性能が低下してしまうという課題も有していた。
【０００６】
本発明は、前記従来の課題を解決するものであり、熱交換器のメンテナンス性と送風性能に優れたヒートポンプ式熱源装置を提供することを目的とする。
【課題を解決するための手段】
【０００７】
前記従来の課題を解決するために、本発明のヒートポンプ式熱源装置は、底板と、前記底板上に配設した熱交換器と、蒸発器と、前記熱交換器を覆う断熱体と、前記蒸発器に送風する送風手段とを備え、前記送風手段の略下部が前記底板に固定され、前記断熱体の略上方に送風回路を形成するもので、前記送風手段を取り外さずとも前記熱交換器を前記断熱体とともに取り外すことが可能となり、熱交換器に不具合が発生してその交換を行う場合に、従来の保護カバーを設けた構成に対して、作業時間を大幅に短くすることができるとともに、前記蒸発器へと空気を導く送風回路の抵抗を小さくして、送風性能を向上させることができる。
【発明の効果】
【０００８】
本発明によれば、熱交換器のメンテナンス性と送風性能に優れるヒートポンプ式熱源装置を提供することができる。
【図面の簡単な説明】
【０００９】
【図１】本発明の実施の形態１におけるヒートポンプ式熱源装置の側面断面図
【図２】同ヒートポンプ式熱源装置の他の例を示す側面断面図
【図３】本発明の実施の形態２におけるヒートポンプ式熱源装置の側面断面図
【図４】同ヒートポンプ式熱源装置の他の例を示す側面断面図
【図５】従来のヒートポンプ式熱源装置の構成を示す図
【発明を実施するための形態】
【００１０】
第１の発明は、底板と、前記底板上に配設した熱交換器と、蒸発器と、前記熱交換器を覆う断熱体と、前記蒸発器に送風する送風手段とを備え、前記送風手段の略下部が前記底板に固定され、前記断熱体の略上方に送風回路を形成するもので、前記送風手段を取り外さずとも前記熱交換器を前記断熱体とともに取り外すことが可能となり、熱交換器に不具合が発生してその交換を行う場合に、従来の保護カバーを設けた構成に対して、作業時間を大幅に短くすることができるとともに、前記蒸発器へと空気を導く送風回路の抵抗を小さくして、送風性能を向上させることができる。
【００１１】
第２の発明は、特に、第１の発明の熱交換器は、その熱交換器を構成する配管が略積層状に重なるように配設されるもので、ヒートポンプ式熱源装置に要求される能力あるいは効率に応じて熱交換器を構成する配管数を決定することができ、送風回路および熱交換器が配設される空間を有効に利用可能とし、熱交換器の長さに応じて、断熱体の略上方の空間を最大限利用した送風回路を形成して、送風性能を向上させることができる。
【００１２】
第３の発明は、特に、第１または第２の発明の底板と断熱体のいずれか一方に係合部を、他方に、前記係合部が係合する被係合部をそれぞれ配設したもので、前記断熱体をより強固に支持することができ、運転時または運搬時における断熱体やその内部に格納される熱交換器が移動して蒸発器や筐体に損傷を与えたり、熱交換器の配管が坐屈したりすることを防止することができる。
【００１３】
第４の発明は、特に、第１〜３のいずれか１つの発明の断熱体と送風手段のいずれか一方に係合部を、他方に、前記係合部が係合する被係合部をそれぞれ配設したもので、前記断熱体をより強固に支持することができ、運転時または運搬時における断熱体やその内部に格納される熱交換器が移動して蒸発器や筐体に損傷を与えたり、熱交換器の配管が坐屈したりすることを防止することができる。
【００１４】
第５の発明は、特に、第１〜４のいずれか１つの発明の送風手段は、その略下部が底板と蒸発器とに挟まれて固定されるもので、送風手段をより強固に支持固定することができ、送風手段の軸ブレを抑制して、送風性能を安定させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるヒートポンプ式熱源装置の側面断面図を示すものである。なお、上記従来のヒートポンプ式熱源装置と同一部分には、同一符号を付してその説明を省略する。
【００１７】
図１において、３ａは、熱交換器３を構成する配管、７は、係合部、９は、被係合部である。送風手段６は、その略下部が底板１にビス（図示せず）で締結されて固定されると同時に、底板１と蒸発器２とで挟まれて固定され、断熱体４の略上方に送風回路を形成するように構成される。
【００１８】
一方、熱交換器３は、構成する配管３ａが、図１に示すように略積層状に重なる構成を
して断熱体４の内部に格納される。配管３ａは、熱交換器３の長さに応じて略積層状に重ねられて構成され、重ねられた配管数に応じて、断熱体４の高さを変更し、断熱体４上の空間を最大に利用して送風回路を形成する。また、断熱体４の後部には、凸形状の係合部７が成形され、送風手段６には、穴状の被係合部９が設けられ、係合部７と被係合部９は係合するように配設される。
【００１９】
以上のように構成された本実施の形態におけるヒートポンプ式熱源装置について、以下その動作、作用を説明する。
【００２０】
まず、送風手段６が底板１に支持・固定され、断熱体４の略上方に配設されることにより、従来備えていた保護カバーを設ける構成と異なり、送風手段６を取り外さずとも熱交換器３を断熱体４とともに取り外し可能とするとともに、送風回路の開口面積を大きくし、より小さい通風抵抗で蒸発器２に空気を流通させるように作用する。
【００２１】
また、熱交換器３は、重ねられた配管３ａの数に応じて、断熱体４の高さを決定可能とし、断熱体４上に形成される送風回路の開口面積を、配管３ａの数に応じた最大とし、最小の通風抵抗で蒸発器２に空気を流通させるように作用する。
【００２２】
断熱体４の後面に形成された凸形状の係合部７は、送風手段６に設けられた穴状の被係合部９に挿入されることにより、断熱体４は、送風手段６を介して底板１に固定され、断熱体４および熱交換器３の底板１上での移動をより強く抑制するように作用する。
【００２３】
さらに、送風手段６が、底板１と蒸発器２とで挟まれて固定されることにより、送風手段６が軸ブレするのを抑制するように作用する。
【００２４】
以上のように、本実施の形態１においては、送風手段６は、その略下部が底板１に固定され、断熱体４の略上方に送風回路を形成することにより、送風手段６を取り外さずとも熱交換器３を断熱体４とともに取り外すことを可能とし、熱交換器３に不具合が発生して交換を行う場合に、従来備えていた保護カバーを設ける構成に対して、作業時間を大幅に短くすることができるとともに、蒸発器２へと空気を導く送風回路の抵抗を小さくして、送風性能を向上させることができる。
【００２５】
また、熱交換器３が、それを構成する配管３ａが略積層状に重なるように構成されることにより、ヒートポンプ式熱源装置に要求される能力あるいは効率に応じて熱交換器３を構成する配管数を決定することができ、送風回路および熱交換器３が配設される空間を有効に利用可能とし、熱交換器３の長さに応じて、断熱体４の略上方の空間を最大限利用した送風回路を形成して、送風性能を向上させることができる。
【００２６】
また、断熱体４と送風手段６とは、そのいずれか一方に係合部７を、他方に被係合部９を有し、係合部７と被係合部９とが係合するように配設されることにより、断熱体４をより強固に支持することができ、運転時または運搬時における断熱体４やその内部に格納された熱交換器３が移動して、蒸発器２や筐体に損傷を与えたり、熱交換器３の配管３ａが坐屈したりすることを防止することができる。
【００２７】
さらに、送風手段６の略下部が、底板１と蒸発器２とに挟まれて固定されることにより、送風手段６をより強固に支持固定することができ、送風手段６の軸ブレを抑制して、送風性能を安定させることができる。
【００２８】
なお、本実施の形態は、図２に示すように、送風手段６側に凸形状の係合部７を、断熱体４側に穴状の被係合部９を備えるものであってもよい。このような構成にすることによ
っても、上述と同様に動作し、同様の作用・効果を得ることができる。
【００２９】
（実施の形態２）
図３は、本発明の実施の形態２におけるヒートポンプ式熱源装置の側面断面図を示すものである。なお、上記第１の実施の形態におけるヒートポンプ式熱源装置と同一部分には、同一符号を付してその説明を省略する。
【００３０】
本実施の形態におけるヒートポンプ式熱源装置は、図３に示すように、送風手段６の略下部が底板１にビスで締結されて固定されると同時に、底板１と蒸発器２とで挟まれて固定され、断熱体４の略上方に送風回路を形成するように構成される。
【００３１】
一方、熱交換器３は、それを構成する配管３ａが、図３に示すように略積層状に重なる構成をして断熱体４の内部に格納される。配管３ａは、熱交換器３の長さに応じて略積層状に重ねられて構成され、重ねられた配管数に応じて、断熱体４の高さを変更し、断熱体４の略上方に形成される送風回路の開口面積を最大にする。
【００３２】
また、断熱体４の下部には凸形状の係合部７が成形され、底板１には、穴状の被係合部９が設けられ、係合部７と被係合部９が係合するように配設される。
【００３３】
以上のように構成された本実施の形態におけるヒートポンプ式熱源装置について、以下その動作、作用を説明する。
【００３４】
断熱体４の後面に形成された凸形状の係合部７は、底板１に設けられた穴状の被係合部９に挿入されることにより、断熱体４は底板１に固定され、断熱体４および熱交換器３の底板１上での移動をより強く抑制するように作用する。
【００３５】
なお、その他の動作およびその作用は、上記実施の形態１におけるそれらと同じである。
【００３６】
以上のように、本実施の形態２においては、送風手段６は、その略下部が底板１に固定され、断熱体４の略上方に送風回路を形成することにより、送風手段６を取り外さずとも熱交換器３を断熱体４とともに取り外すことを可能とし、熱交換器３に不具合が発生して交換を行う場合に、従来備えていた保護カバーを設ける構成に対して作業時間を大幅に短くすることができるとともに、蒸発器２へと空気を導く送風回路の抵抗を小さくして、送風性能を向上させることができる。
【００３７】
また、熱交換器３が、それを構成する配管３ａが略積層状に重なるように構成されることにより、ヒートポンプ式熱源装置に要求される能力あるいは効率に応じて熱交換器３を構成する配管数を決定することができ、送風回路および熱交換器３が配設される空間を有効に利用可能とし、熱交換器３の長さに応じて、断熱体４の略上方の空間を最大限利用した送風回路を形成して、送風性能を向上させることができる。
【００３８】
また、底板１と断熱体４とは、そのいずれか一方に係合部７を、他方に被係合部９を有し、係合部７と被係合部９とが係合するように配設されることにより、断熱体４をより強固に支持することができ、運転時または運搬時における断熱体４やその内部に格納される熱交換器３が移動して蒸発器２や筐体に損傷を与えたり、熱交換器３の配管３ａが坐屈したりすることを防止することができる。
【００３９】
送風手段６は、その略下部が底板１と蒸発器２とに挟まれて固定されることにより、送風手段６をより強固に支持固定することができ、送風手段６の軸ブレを抑制して、送風性
能を安定させることができる。
【００４０】
なお、本実施の形態は、図４に示すように、底板１に凸形状の係合部７を、断熱体４に穴状の被係合部９を備えるものであってもよい。このような構成にすることによっても、上記実施の形態１と同様に動作し、同様の作用・効果を得ることができる。
【産業上の利用可能性】
【００４１】
以上のように、本発明にかかるヒートポンプ式熱源装置は、熱交換器のメンテナンス性と送風性能に優れるので、ヒートポンプ給湯器や温水暖房装置にも適用することができる。
【符号の説明】
【００４２】
１  底板
２  蒸発器
３  熱交換器
３ａ  配管
４  断熱体
６  送風手段
７  係合部
９  被係合部
【図１】
2012026644.tif 000003
【図２】
2012026644.tif 000004
【図３】
2012026644.tif 000005
【図４】
2012026644.tif 000006
【図５】
2012026644.tif 000007